(57)【要約】【課題】  スイッチトキャパシタ増幅回路において、入力電圧の持つオフセット電圧と温度特性を低ノイズにてキャンセルして信号成分のみを増幅すること。【解決手段】  出力電圧を演算増幅器にフィードバックするサンプリング容量に印加する電圧を、基準電圧とは別の第１および第２の参照電圧とした。さらに、シングルエンド出力の時に、演算増幅器の出力端子と反対の端子に接続した容量に印加する電圧を、基準電圧とは別の第３の参照電圧とした。【選択図】  図１
2005065250.tif 000002
【特許請求の範囲】
【請求項１】
２つの入力端子と、演算増幅器と、複数のスイッチ回路と、複数の容量と、基準電圧から構成されるスイッチトキャパシタ増幅回路において、
出力電圧を前記演算増幅器にフィードバックするサンプリング容量にスイッチを介して印加する電圧を、前記基準電圧とは別の参照電圧としたことを特徴とするスイッチトキャパシタ増幅回路。
【請求項２】
前記演算増幅器の２つの端子に対応する前記参照電圧を、第１および第２の参照電圧としたことを特徴とする請求項１記載のスイッチトキャパシタ増幅回路。
【請求項３】
前記第１および第２の参照電圧のどちらか一方に温度特性を持たせたことを特徴とする請求項２記載のスイッチトキャパシタ増幅回路。
【請求項４】
前記スイッチトキャパシタ増幅回路がシングルエンド出力の時に、前記演算増幅器の出力端子と反対の端子に接続した容量に印加する電圧を、前記基準電圧とは別の第３の参照電圧としたことを特徴とする請求項１記載のスイッチトキャパシタ増幅回路。
【発明の詳細な説明】
【技術分野】
【０００１】
本発明は、オフセットキャンセル型スイッチトキャパシタ増幅回路に関する。
【背景技術】
【０００２】
従来のオフセットキャンセル型スイッチトキャパシタ増幅回路は、オペアンプの持っているオフセット電圧を容量に蓄えることで、オフセット電圧を出力に生じないように構成されている(例えば、特許文献１参照)。
【０００３】
従来のオフセットキャンセル型スイッチトキャパシタ増幅回路の回路構成の例を図２に示す。リセットフェーズΦ１においてスイッチ回路123、124、125、128、129、132が閉じる。このとき容量101、102、103、104は、スイッチ回路123、124、125、129を通じて放電される。一定の時間の後、スイッチ回路123、124、125、128、129、132が開いて、リセットフェーズΦ１が終了する。
【０００４】
次にサンプリングフェーズΦ２に移る。スイッチ回路121、122、126、130、128、132が閉じる。入力端子141の電圧は容量101に、入力端子142の電圧は容量102に電荷として蓄えられる。容量101の電荷の変化分に等しいだけ容量103の電荷が変化する。同時に容量102の電荷の変化分に等しいだけ容量104の電荷が変化する。これによって、出力端子151の電圧が変化する。
出力端子151の電圧は、次式で与えられる。
Ｖout=−(C1/C2)×(Vin1-Vin2)
【０００５】
オペアンプの持っている入力オフセット電圧はリセットフェーズΦ１において容量101、102に蓄えられる。サンプリングフェーズΦ２のときの容量101の両端間の電位の変化分は入力端子141の電圧とスイッチ123に与えられる基準電圧の差となる。同様にサンプリングフェーズΦ２のときの容量102の両端間の電位の変化分は入力端子142の電圧とスイッチ124に与えられる基準電圧の差となる。したがって、容量101、102の両端間に蓄えられる電圧の変化分は、入力電圧と基準電圧の差となり、オフセット電圧は含まれない。そのため、オペアンプの持つオフセット電圧は増幅されず、キャンセルされる。
【特許文献１】米国特許４５４３５３４号公報「Offset compensated switched capacitor circuits」
【発明の開示】
【発明が解決しようとする課題】
【０００６】
しかし従来のスイッチトキャパシタ増幅回路では、オペアンプの持つオフセット電圧はキャンセルできるものの、入力電圧それ自身がオフセット電圧やオフセット温度特性をもつとき、そのオフセット電圧を増幅して出力してしまうという欠点を有していた。
【課題を解決するための手段】
【０００７】
本発明は、このような課題を解決するもので、出力電圧を演算増幅器にフィードバックするサンプリング容量に印加する電圧を、基準電圧とは別の第１および第２の参照電圧とし、どちらか一方に温度特性も持たせるなど別々に制御できる構成とした。
さらに、シングルエンド出力の時に、演算増幅器の出力端子と反対の端子に接続した容量に印加する電圧を、基準電圧とは別の第３の参照電圧とした。
【発明の効果】
【０００８】
本発明のスイッチトキャパシタ増幅回路は、上記のような構成とすることで入力電圧の持つオフセット電圧と温度特性を、低ノイズにてキャンセルして信号成分のみを増幅することができる。
【発明を実施するための最良の形態】
【０００９】
以下に、この発明の実施例を図面に基づいて説明する。図1は、この発明によるスイッチトキャパシタ増幅回路の構成図の一例である。リセットフェーズΦ１においてスイッチ回路123が閉じ、容量101はノード111に接続され、スイッチ回路124が閉じ、容量102はノード112に接続され、スイッチ回路125が閉じ、容量103はVref1に接続され、スイッチ回路129が閉じ、容量104はVref2に接続される。一定の時間の後、スイッチ回路123、124、125、129が開いて、リセットフェーズΦ１が終了する。リセットフェーズΦ１の間に、容量101に蓄えられた電荷は
q=C1×VREF
容量102に蓄えられた電荷は
q=C1×(VREF−VOFF)
容量103に蓄えられた電荷は
q=C2×Vref1
容量104に蓄えられた電荷は
q=C2×Vref2
となる。
【００１０】
次にサンプリングフェーズΦ２に移る。スイッチ回路121、122、126、130、128、132が閉じる。入力端子141の電圧は容量101に、入力端子142の電圧は容量102に電荷として蓄えられる。容量101の電荷の変化分に等しいだけ容量103の電荷が変化する。同時に容量102の電荷の変化分に等しいだけ容量104の電荷が変化する。これによって、出力端子151の電圧が変化する。サンプリングフェーズΦ２において容量101に蓄えられた電荷は
q=C1×Vin1
容量102に蓄えられた電荷は
q=C1×Vin2
となる。
【００１１】
したがって、リセットフェーズΦ１からサンプリングフェーズΦ２に変わった後の容量101の電荷量の変化分は、
Δq=C1×(Vin1−VREF)
容量102の電荷量の変化分は、
Δq=C1×(Vin2−(VREF−VOFF))
容量103の電荷量の変化分は、
Δq=C2×(VOUT−Vref1)
容量104の電荷量の変化分は、
Δq=C2×(VREF−Vref2)
となる。
【００１２】
入力端子141の電圧Vin1が信号電圧Vinpとオフセット電圧Vosから成り、入力端子142の電圧Vin2が信号電圧Vinnのみから成るとき、
出力端子151の電圧Voutは、
Vout=−(C1/C2)×((Vin1−Vin2)−(VREF−(VREF−VOFF)))+(Vref1−Vref2+VREF)
=−(C1/C2)×( (Vinp + Vos −Vinn)−VOFF))+(Vref1−Vref2+VREF)
=−(C1/C2)×((Vinp−Vinn)+ (Vos−VOFF))+(Vref1−Vref2+VREF)
で与えられる。
【００１３】
つまりVOFF =Vosに調整することで、低ノイズで入力電圧のオフセット電圧をキャンセルでき、更にVos=VOFFが成り立たない場合でもVref1−Vref2で微調整を行うことが可能である。また、Vref1とVref2はノイズが大きいが増幅されないため、出力電圧には影響が少ない事がわかる。
【００１４】
更に、Vref1とVref2のどちらか一方に温度特性を持たせることにより、入力電圧のオフセット電圧の温度依存性をキャンセルすることが可能となる。たとえば、Vref1は温度特性をもたない参照電圧で、Vref2は温度特性をもつものとする。このようにすることで、温度依存性をもつVref2を用いて入力電圧のオフセット電圧の温度依存性をキャンセルし、Vref1を用いて入力電圧のオフセット電圧の絶対値を合わせこむことが可能となる。
【００１５】
Vref1とVref2を与えるノードをスイッチで切り替えることで、温度依存性の極性と逆向きの極性の温度補正を与えることが可能になる。
【００１６】
このように本発明の回路方式では、入力電圧の持つオフセット電圧と温度依存性を低ノイズでキャンセルし信号成分のみを増幅することができる。
【００１７】
また２入力２出力を持つ完全差動回路においても、実施することができることは明白である。完全差動回路構成をとることにより、さらに同相ノイズを低減する効果が得られる。
【００１８】
またこの実施例に示した回路はスイッチトキャパシタ増幅回路の一例であり、他の形式のスイッチトキャパシタ増幅回路においても、実施することが可能であることは明白である。
【００１９】
入力電圧に含まれるオフセット電圧の値があらかじめわかっており、一定の場合に与える電圧値は、固定抵抗でもよいが、入力電圧に含まれるオフセット電圧の値が不明の場合は、電圧値をオフセット電圧に合わせて調整できる可変電圧とすることで、出力電圧を見ながらオフセット電圧の調整を行うことが可能である。
【図面の簡単な説明】
【００２０】
【図１】本発明のスイッチトキャパシタ増幅回路の回路図である。
【図２】従来のスイッチトキャパシタ増幅回路の回路図である。
【符号の説明】
【００２１】
100  演算増幅器
101、102、103、104、105、106  容量
111、112  参照電圧
121、122、123、124、125、126、127、128、129、
130、131、132、133、134  スイッチ回路
141、142  入力端子
151 、152  出力端子
【図１】
2005065250.tif 000003
【図２】
2005065250.tif 000004